(57)【要約】【課題】  ３Ｄコンテンツを再生している映像再生装置がＯＳＤ画像を重畳して表示する場合には、自動的に２Ｄ表示モードに切り替わることで、ＯＳＤ画像を適切に表示することが可能な映像表示装置を提供する。【解決手段】  映像再生装置１０２を制御するために発行可能な複数のコマンドの各々に対して、コマンドを受信した映像再生装置１０２がＯＳＤ画像を出力するか否かを示す情報を関連付けたＯＳＤ表示情報を記憶しておく。そして、３Ｄ表示モードで３Ｄテレビ１０１が映像を表示中に映像再生装置１０２にコマンドを発行する場合、そのコマンドによって映像再生装置１０２がＯＳＤ画像を出力すると判定された場合は、２Ｄ表示モードに映像処理を自動的に切り替える。【選択図】  図３
2010268048.tif 000002
【特許請求の範囲】
【請求項１】
映像データを出力する映像再生装置と接続され、当該映像再生装置から入力された映像データが三次元映像の場合、当該三次元映像を空間方向に変化させる三次元用映像処理を施して表示する三次元表示モードを有する映像表示装置であって、
前記映像再生装置を制御するための操作指示を受け、当該操作指示に対応するコマンドを前記映像再生装置に発行する発行手段と、
前記映像再生装置に対して発行可能な複数のコマンドの各々に対して、当該コマンドを受信した前記映像再生装置がＯＳＤ画像を出力するか否かを示す情報を関連付けられたＯＳＤ表示情報を用いて、前記発行手段が発行するコマンドによって前記映像再生装置がＯＳＤ画像を出力するか否かを判定する判定手段と、
三次元表示モードで映像を表示中に、前記判定手段によって前記映像再生装置がＯＳＤ画像を出力すると判定された場合は、三次元表示モードから三次元用映像処理を実行しない二次元表示モードに自動的に切り替えて、前記映像再生装置から入力される映像を表示する制御を実行する制御手段と、
を有することを特徴とする映像表示装置。
【請求項２】
前記制御手段は、三次元表示モードで映像を表示中に、前記映像再生装置がＯＳＤ画像を出力すると判定された場合は、三次元表示モードから二次元表示モードに自動的に切り替え、その後、当該ＯＳＤ画像の出力を終了することを示す操作指示を受けた場合に、二次元表示モードから三次元表示モードに自動的に切り替える制御を実行することを特徴とする請求項１に記載の映像表示装置。
【請求項３】
映像データを出力する映像再生装置と接続され、当該映像再生装置から入力された映像データが三次元映像の場合、当該三次元映像を空間方向に変化させる三次元用映像処理を施して表示する三次元表示モードを有する映像表示装置であって、
前記映像再生装置を制御するための操作指示を受け、当該操作指示に対応するコマンドを前記映像再生装置に発行する発行手段と、
前記映像再生装置に対して発行可能であり、当該コマンドによって前記映像再生装置がＯＳＤ画像を出力する複数のコマンドの各々に対して、前記映像再生装置から入力された映像を三次元表示モードで表示している状態で当該コマンドを前記映像再生装置が実行した場合に、三次元表示モードのまま前記映像を表示するか、三次元用映像処理を実行しない二次元表示モードに切り替えて前記映像を表示するかを示す情報を関連付けたＯＳＤ表示情報を記憶する記憶手段と、
前記発行手段が発行するコマンドと前記ＯＳＤ表示情報とを用いて、三次元表示モードとするか否かを判定する判定手段と、
前記判定手段の判定に従い、三次元表示モードまたは二次元表示モードのどちらか一方を選択する制御を実行する制御手段と、
を有することを特徴とする映像表示装置。
【請求項４】
前記制御手段は、三次元表示モードで映像を表示中に、前記判定手段が二次元表示モードとすると判定した場合は、三次元表示モードから二次元表示モードに自動的に切り替え、その後、前記コマンドによって前記映像再生装置が出力していたＯＳＤ画像の出力を終了することを示す操作指示を受けた場合に、二次元表示モードから三次元表示モードに自動的に切り替える制御を実行することを特徴とする請求項３に記載の映像表示装置。
【請求項５】
映像データを出力する映像再生装置と接続され、当該映像再生装置から入力された映像データが三次元映像の場合、当該三次元映像を空間方向に変化させる三次元用映像処理を施して表示する三次元表示モードを有する映像表示装置であって、
前記映像再生装置が送信する当該映像再生装置のステータス情報を取得する取得手段と、
前記三次元表示モードで前記映像再生装置から出力された映像を表示している状態で、前記取得手段で取得したステータス情報が、前記映像再生装置が生成したＯＳＤ画像を映像データとして出力する状態を示した場合には、三次元表示モードから三次元用映像処理を実行しない二次元表示モードに自動的に切り替えて、前記映像再生装置から入力された前記映像を表示する制御を実行する制御手段と、
を有することを特徴とする映像表示装置。
【請求項６】
映像データを出力する映像再生装置と接続され、当該映像再生装置から入力された映像データが三次元映像の場合、当該三次元映像を空間方向に変化させる三次元用映像処理を施して表示する三次元表示モードを有する映像表示装置の制御方法であって、
前記映像再生装置を制御するための操作指示を受け、当該操作指示に対応するコマンドを前記映像再生装置に発行する発行工程と、
前記映像再生装置に対して発行可能な複数のコマンドの各々に対して、当該コマンドを受信した前記映像再生装置がＯＳＤ画像を出力するか否かを示す情報を関連付けられたＯＳＤ表示情報と、前記発行工程で発行するコマンドとを用いて、前記映像再生装置がＯＳＤ画像を出力するか否かを判定する判定工程と、
三次元表示モードで映像を表示中に、前記判定工程で前記映像再生装置がＯＳＤ画像を出力すると判定された場合は、三次元表示モードから三次元用映像処理を実行しない二次元表示モードに自動的に切り替えて、前記映像再生装置から入力される映像を表示する制御を実行する制御工程と、
を有することを特徴とする映像表示装置の制御方法。
【請求項７】
映像データを出力する映像再生装置と接続され、当該映像再生装置から入力された映像データが三次元映像の場合、当該三次元映像を空間方向に変化させる三次元用映像処理を施して表示する三次元表示モードを有する映像表示装置の制御方法であって、
前記映像再生装置を制御するための操作指示を受け、当該操作指示に対応するコマンドを前記映像再生装置に発行する発行工程と、
前記映像再生装置に対して発行可能であり、当該コマンドによって前記映像再生装置がＯＳＤ画像を出力する複数のコマンドの各々に対して、前記映像再生装置から入力された映像を三次元表示モードで表示している状態で当該コマンドを前記映像再生装置が実行した場合に、三次元表示モードのまま前記映像を表示するか、三次元用映像処理を実行しない二次元表示モードに切り替えて前記映像を表示するかを示す情報を関連付けたＯＳＤ表示情報と、前記発行工程で発行するコマンドとを用いて、三次元表示モードとするか否かを判定する判定工程と、
前記判定工程での判定に従い、三次元表示モードまたは二次元表示モードのどちらか一方を選択する制御を実行する制御工程と、
を有することを特徴とする映像表示装置の制御方法。
【請求項８】
映像データを出力する映像再生装置と接続され、当該映像再生装置から入力された映像データが三次元映像の場合、当該三次元映像を空間方向に変化させる三次元用映像処理を施して表示する三次元表示モードを有する映像表示装置の制御方法において、
前記映像再生装置が送信する当該映像再生装置のステータス情報を取得する取得工程と、
前記三次元表示モードで前記映像再生装置から出力された映像を表示している状態で、前記取得工程で取得したステータス情報が、前記映像再生装置が生成したＯＳＤ画像を映像データとして出力する状態を示した場合には、三次元表示モードから三次元用映像処理を実行しない二次元表示モードに自動的に切り替えて、前記映像再生装置から入力された前記映像を表示する制御を実行する制御工程と、
を有することを特徴とする映像表示装置の制御方法。
【発明の詳細な説明】
【技術分野】
【０００１】
本発明は、映像表示装置及びその制御方法に関し、特に、映像表示装置に接続された三次元映像を出力する映像再生装置から出力された三次元映像に対して三次元表示のための映像処理を施して三次元映像を表示可能な映像表示装置及びその制御方法に関する。
【背景技術】
【０００２】
現在、日本のデジタル衛星放送のＢＳ１１チャンネルなどでは、右目用と左目用の映像信号を水平方向のみ１／２に圧縮した状態で左右に配置する「サイドバイサイド（Ｓｉｄｅ−ｂｙ−Ｓｉｄｅ）方式」を採用した三次元映像コンテンツ（以下、３Ｄコンテンツと称する）の放送を行っている。また、昨今では、３Ｄコンテンツを記録したブルーレイディスクなども発売されている。
【０００３】
上記サイドバイサイド方式による３Ｄコンテンツを視聴するためには、専用の三次元映像表示装置（以下、３Ｄテレビ）と３Ｄテレビに適合した偏光メガネが必要となる。
【０００４】
サイドバイサイド方式に対応した３Ｄテレビでは、両眼視差を有する画像をそれぞれ水平方向に拡大し、左目用画像はテレビ画面の走査線の奇数ラインに割り当て、右目用画像は偶数ラインに割り当てて表示を行う。ユーザは偏光メガネを通して３Ｄテレビの出力映像を見ることで、立体映像として結像して見える仕組みになっている。
【０００５】
今後、３Ｄコンテンツの視聴環境の普及に伴い、オンエア視聴だけでなく、ＨＤＤレコーダやプレーヤ等の映像再生装置で記録した３Ｄコンテンツを、３Ｄテレビと接続して視聴する機会が増加すると予測される。つまり、従来からの二次元映像コンテンツ（以下、２Ｄコンテンツと称する）の表示と３Ｄコンテンツの表示を切り替えて表示する３Ｄテレビが増加することが考えられる。
【０００６】
２Ｄコンテンツと３Ｄコンテンツとを切り替えて表示する技術としては、画像データの特定領域中に３Ｄコンテンツを判別するための識別用メタデータを埋め込み、該メタデータによって表示方式を切り替える方法が提案されている（特許文献１参照）。
【０００７】
また、多層ディスクにおいて、片方の層に左目用画像を、もう一方の層に右目用画像を記録し、ディスクからの再生時、両層を交互に読み出して３Ｄ化する方式が提案されている（特許文献２）。
【先行技術文献】
【特許文献】
【０００８】
【特許文献１】特開平１０−２５７５２５号公報
【特許文献２】特開平８−３０７９０２号公報
【発明の概要】
【発明が解決しようとする課題】
【０００９】
しかしながら、サイドバイサイド方式では画像を左目用と右目用の各画像に分かれるように水平方向に分割してから、各画像を水平方向に拡大して表示している。そのため、再生装置が３Ｄ映像に重畳した二次元のＯＳＤ（Ｏｎ  Ｓｃｒｅｅｎ  Ｄｉｓｐｌａｙ）グラフィックス画像が３Ｄテレビ側で表示されると、とても視聴し難い映像になってしまうという課題がある。
【００１０】
図８には、映像再生装置の出力画像の例（ａ）と、該出力画像を上述の方法によって３Ｄテレビで３Ｄ映像処理した場合の出力画像の例（ｂ）を示した。
【００１１】
映像再生装置でコンテンツを再生中にユーザからの操作が発生すると、一般的な再生装置はその操作に対応したＯＳＤ画像を再生中の映像に重畳・合成した映像を出力する。表示する情報としてよく知られたものは、再生や一時停止などの状態を示すアイコン、コンテンツの情報を表示するためのバナー、コンテンツの一覧を示すコンテンツリスト等である。再生中のコンテンツが２Ｄコンテンツであれば、どのようなＯＳＤを合成してもユーザはＯＳＤを適切に視認することが可能である。しかし、再生中のコンテンツが３Ｄコンテンツの場合には、出力した映像に対して３Ｄテレビ側でサイドバイサイド方式に適応した映像処理が行われるため、ＯＳＤ画像の部分が水平方向に拡大されてしまい、非常に見難い視認性の低い画像を表示してしまう。この状態が図８（ｂ）である。元々の映像部分はサイドバイサイド方式に適応した映像処理により３Ｄ映像として表示されるが、２Ｄコンテンツと同様のＯＳＤ画像を３Ｄコンテンツの映像処理を考慮せずに合成した場合には例としてこのような見え方となる。
【００１２】
結果、ユーザに対して再生装置が重畳したＯＳＤ画像を本来の描画位置とは異なる位置に、視認困難な映像として表示してしまうという課題がある。こうした表示を行うことで、再生装置や３Ｄテレビの故障と勘違いさせてしまうことが想定されるだけでなく、ユーザがＯＳＤ画像をはっきり視認したい場合には、３Ｄ表示の解除操作を行うなど、ユーザの手を煩わせることとなってしまう。
【００１３】
本願発明は、３Ｄコンテンツを再生している映像再生装置がＯＳＤ画像を重畳して表示する場合には、自動的に２Ｄ表示モードに切り替わることで、ＯＳＤ画像を適切に表示することが可能な映像表示装置及びその制御方法を提供することを目的とする。
【課題を解決するための手段】
【００１４】
上記目的を達成するために、本発明に係る映像表示装置は、映像データを出力する映像再生装置と接続され、当該映像再生装置から入力された映像データが三次元映像の場合、当該三次元映像を空間方向に変化させる三次元用映像処理を施して表示する三次元表示モードを有する映像表示装置であって、前記映像再生装置を制御するための操作指示を受け、当該操作指示に対応するコマンドを前記映像再生装置に発行する発行手段と、前記映像再生装置に対して発行可能な複数のコマンドの各々に対して、当該コマンドを受信した前記映像再生装置がＯＳＤ画像を出力するか否かを示す情報を関連付けられたＯＳＤ表示情報を用いて、前記発行手段が発行するコマンドによって前記映像再生装置がＯＳＤ画像を出力するか否かを判定する判定手段と、三次元表示モードで映像を表示中に、前記判定手段によって前記映像再生装置がＯＳＤ画像を出力すると判定された場合は、三次元表示モードから三次元用映像処理を実行しない二次元表示モードに自動的に切り替えて、前記映像再生装置から入力される映像を表示する制御を実行する制御手段と、を有する。
【００１５】
また、上記目的を達成するために、本発明に係る映像表示装置は、映像データを出力する映像再生装置と接続され、当該映像再生装置から入力された映像データが三次元映像の場合、当該三次元映像を空間方向に変化させる三次元用映像処理を施して表示する三次元表示モードを有する映像表示装置であって、前記映像再生装置を制御するための操作指示を受け、当該操作指示に対応するコマンドを前記映像再生装置に発行する発行手段と、前記映像再生装置に対して発行可能であり、当該コマンドによって前記映像再生装置がＯＳＤ画像を出力する複数のコマンドの各々に対して、前記映像再生装置から入力された映像を三次元表示モードで表示している状態で当該コマンドを前記映像再生装置が実行した場合に、三次元表示モードのまま前記映像を表示するか、三次元用映像処理を実行しない二次元表示モードに切り替えて前記映像を表示するかを示す情報を関連付けたＯＳＤ表示情報を記憶する記憶手段と、前記発行手段が発行するコマンドと前記ＯＳＤ表示情報とを用いて、三次元表示モードとするか否かを判定する判定手段と、前記判定手段の判定に従い、三次元表示モードまたは二次元表示モードのどちらか一方を選択する制御を実行する制御手段と、を有する。
【００１６】
また、上記目的を達成するために、本発明に係る映像表示装置は、映像データを出力する映像再生装置と接続され、当該映像再生装置から入力された映像データが三次元映像の場合、当該三次元映像を空間方向に変化させる三次元用映像処理を施して表示する三次元表示モードを有する映像表示装置であって、前記映像再生装置が送信する当該映像再生装置のステータス情報を取得する取得手段と、前記三次元表示モードで前記映像再生装置から出力された映像を表示している状態で、前記取得手段で取得したステータス情報が、前記映像再生装置が生成したＯＳＤ画像を映像データとして出力する状態を示した場合には、三次元表示モードから三次元用映像処理を実行しない二次元表示モードに自動的に切り替えて、前記映像再生装置から入力された前記映像を表示する制御を実行する制御手段と、を有する。
【発明の効果】
【００１７】
以上説明したように、本発明によれば、３Ｄコンテンツを再生している映像再生装置がＯＳＤ画像を重畳して表示する場合には、自動的に２Ｄ表示モードに切り替わることで、ＯＳＤ画像を適切に表示することが可能な三次元映像表示装置及びその制御方法を提供することができる。
【図面の簡単な説明】
【００１８】
【図１】本発明におけるシステム構成の例を示す概略図である。
【図２】３Ｄテレビの構成を示すブロック図である。
【図３】本発明の実施例１にかかる３Ｄテレビが実行するフローチャートである。
【図４】本発明の実施例１を実施した場合の映像の表示状態の例を示す概略図である。
【図５】本発明の実施例２にかかるＯＳＤ表示情報の概略図である。
【図６】本発明の実施例２にかかる３Ｄテレビが実行するフローチャートである。
【図７】本発明の実施例３にかかる３Ｄテレビが実行するフローチャートである。
【図８】本発明の背景技術における映像の表示状態の例を示す概略図である。
【発明を実施するための形態】
【００１９】
以下、添付図面を参照して、本発明の実施例を説明する。
【実施例１】
【００２０】
図１は本発明におけるシステム構成の一例である。１０１は映像表示装置としての３Ｄテレビである。３Ｄテレビは２Ｄコンテンツの表示を適切に行えるのはもちろん、上述したサイドバイサイド方式の３Ｄコンテンツを３Ｄ映像として出力する機能を備える。
【００２１】
１０３は３Ｄテレビを操作するリモコンである。リモコン１０３には３Ｄテレビ１０１を操作する機能の他、３Ｄテレビを介して映像再生装置１０２を操作する機能も備える。リモコン１０３には、２Ｄ表示と３Ｄ表示とを切り替えるためのボタンを具備するものとする。このボタンをユーザが押下すると３Ｄテレビ１０１はボタン操作による指示を受信する。そして、３Ｄテレビ１０１は左目用と右目用のそれぞれの画像を用いた三次元表示モード（３Ｄ表示モード）と、三次元映像処理を実行しない、つまり、通常の２Ｄ画像を表示するための二次元表示モード（２Ｄ表示モード）を切り替える。即ち、３Ｄテレビ１０１はユーザの指示で３Ｄ用の映像処理（三次元用映像処理）と２Ｄ用の映像処理（二次元用映像処理）とを切り替える。
【００２２】
映像再生装置１０２には、ハードディスクあるいはＢｌｕ−ｒａｙディスクなどのリムーバブルディスクの記録再生ドライブを内蔵している。そして、ハードディスクやリムーバブルディスクに３Ｄコンテンツが格納されているものとする。格納する方法はどのようなものでもよく、例えば、放送されている３Ｄコンテンツを録画するといった方法が用いられる。
【００２３】
格納された３Ｄコンテンツを再生する場合には、ユーザがリモコン１０３を用いて３Ｄテレビ１０１にコンテンツの再生を指示する。３Ｄテレビ１０１は受信したコンテンツの再生指示を映像再生装置１０２に送信する。映像再生装置１０２は再生指示を受けた３Ｄコンテンツを格納したディスクから読み出して再生する。
【００２４】
３Ｄテレビ１０１と映像再生装置１０２は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）等に代表されるデジタルインタフェース１０４によって接続されている。ＨＤＭＩでは映像データや音声データの他に、制御コマンドの送受信を行うことが可能である。
【００２５】
具体的には、ＨＤＭＩ−ＣＥＣ（Ｃｏｎｓｕｍｅｒ  Ｅｌｅｃｔｒｏｎｉｃｓ  Ｃｏｎｔｒｏｌ）と呼ばれる、家電機器間での動作コマンドを定義した規格を適用して、コンテンツの再生や記録、コンテンツ一覧や機器情報取得などの機器間の操作を行う。このＣＥＣにより、ユーザがリモコン１０３を介して３Ｄテレビ１０１に入力した映像再生装置１０２を操作するための指示に従って、映像再生装置１０２を操作することが可能となる。
【００２６】
なお、本実施例においては、ＨＤＭＩケーブルを用いた構成を例としているが、その他の有線あるいは無線によるインタフェースとしても同様に適用可能であり、特に限定するものではない。
【００２７】
続いて、３Ｄテレビ１０１の詳細を図２に示したブロック図を用いて説明する。３Ｄテレビ１０１を構成する各処理ブロックは、システムバスに接続され、該バスを介してブロック間でのコマンドやデータの通信が行われるものとする。
【００２８】
ＤＲＡＭ２０１は、揮発性の大容量半導体メモリであり、符号化ストリームや復号画像データ、あるいは音声データ等、後述の各ブロックからの出力データを格納する格納部である。
【００２９】
リモコン受光部２０２は、ユーザ操作によりリモコン１０３から発信される赤外線等の信号を受信し、信号に応じた操作コマンドが発生したことをＣＰＵ２０３に通知する。ＣＰＵ２０３は、３Ｄテレビ１０１を構成する各ブロックを制御するマイコンである。読み出し専用のＲＯＭ２０４と、読み書き可能なＲＡＭ２０５がＣＰＵ２０３に接続されており、ＣＰＵ２０３を動作させるプログラムやデータが格納されている。また、ＣＰＵ２０３は、３Ｄテレビ１０１で映像を表示している場合、２Ｄ表示モードと３Ｄ表示モードのいずれの表示モードで表示を行っているかを管理している。
【００３０】
映像処理部２０７は、３Ｄテレビ１０１で表示する映像に対する各種の映像処理を行うブロックである。特に、３Ｄ映像を表示する３Ｄ表示モードの場合には、サイドバイサイド方式で入力された左目用画像と右目用画像とをオーバラップさせる３Ｄ映像処理を施すブロックである。
【００３１】
チューナ復調部２０８は、図示せぬアンテナから受信したデジタル放送波を復調するブロックである。チューナ復調部２０８は、所望のチャネルについて映像・音声情報を含む時分割多重化されたＴＳデータを出力する。デコード部２０９は、チューナ復調部２０８で生成されたＴＳデータを映像及び音声のＥＳへ分離し、ＥＳデータの復号を行う。デコード部２０９で復号された映像データや、映像再生装置１０２から入力された映像データは映像処理部２０７に送信され、適切な映像処理が施される。
【００３２】
映像出力部２１０は、図示しない表示パネルに対して、映像処理部２０７で映像処理された映像データを出力するブロックである。また、映像出力部２１０は、ＣＰＵ２０３の制御の下、ＯＳＤ画像を生成し、生成したＯＳＤ画像を映像データに重畳（合成）する機能も備える。
【００３３】
デジタルインタフェース制御部２１１は、映像再生装置１０２と接続するＨＤＭＩのインタフェースである。デジタルインタフェース制御部２１１は、ユーザのリモコン操作によって、映像再生装置１０２に送信するコマンドをインタフェース規格規定のフォーマットで伝送する機能を備える。また、映像再生装置１０２から出力される映像データを受信し、バスに伝送する機能などを有する。
【００３４】
この３Ｄテレビ１０１は、放送波に含まれる３Ｄコンテンツを受信して視聴する場合には、チューナ復調部２０８で受信したサイドバイサイド方式の３ＤコンテンツのＴＳを復調し、デコード部２０９で復号する。
【００３５】
この時、リモコン１０３を用いてユーザが３Ｄ映像を表示する３Ｄ表示モードへの遷移を示す指示を入力すると、この指示を受信したＣＰＵ２０３はデコード部２０９で復号された映像データに対して３Ｄ映像処理を施すように映像処理部２０７に指示を行う。映像処理部２０７は入力された映像データに対してサイドバイサイド方式に適合する３Ｄ映像処理処理を施す。３Ｄ映像処理が施された映像データは、映像出力部２１０の制御によって表示パネルに出力されることになる。
【００３６】
一方、映像再生装置１０２から送信される３Ｄコンテンツを視聴する場合は、リモコン１０３を用いてユーザが３Ｄ映像を再生するための操作指示を入力する。ＣＰＵ２０３は、入力された指示に従って、映像再生装置１０２に対してコマンドを送信したり、映像再生装置１０２からのコマンドを受信したりといった情報の授受を行う。
【００３７】
映像再生装置１０２が送信した３Ｄコンテンツの映像データはデジタルインタフェース制御部２１１で受信され、映像処理部２０７で３Ｄ映像処理処理が施される。そして、３Ｄ映像処理が施された映像データは、映像出力部２１０の制御によって表示パネルに出力される。
【００３８】
続いて、本発明における動作フローを図３に示したフローチャートを用いて説明する。このフローチャートは、映像再生装置１０２が再生中の３Ｄコンテンツを３Ｄテレビ１０１で表示している状態において、３Ｄテレビ１０１によって実行される制御である。
【００３９】
３Ｄテレビ１０１では、ユーザからのリモコン操作の有無をリモコン受光部２０２において常時監視している（ステップＳ３０１）。そして、リモコン操作があったことをリモコン受光部２０２において検知した場合には、そのリモコン操作で指示された操作コマンドを取得し、ＣＰＵ２０３に通知する（ステップＳ３０２）。
【００４０】
ＣＰＵ２０３は、受信した操作コマンドを解釈し、該コマンドが映像再生装置１０２を制御することが必要なコマンドであるかどうかを判断する（ステップＳ３０３）。映像再生装置１０２を制御することが必要なコマンドの場合、ステップＳ４０４に移行する。受信した操作コマンドが映像再生装置１０２を制御することが必要の無いコマンドであった場合は、ステップＳ３０９に移行する。
【００４１】
ステップＳ３０４では、ＣＰＵ２０３が、当該コマンドに対する映像再生装置１０２のレスポンスとして、再生中の映像に替えて、もしくは、再生中の映像に重畳してＯＳＤ画像を表示するものかを判断する。
【００４２】
例えば、映像再生装置１０２に記録されたコンテンツの一覧情報の表示を要求するためのコマンドや、映像再生装置１０２の各種情報の取得を要求するためのコマンド、再生中のコンテンツの操作を行うコマンド等の場合、映像再生装置１０２はＯＳＤ画像を生成する。
【００４３】
本実施例では、映像再生装置１０２を制御するために発行可能な複数のコマンドに対して、当該コマンドによって映像再生装置１０２がＯＳＤ画像を表示するか否かに関する情報を管理している。このＯＤＳ表示情報は３Ｄテレビ１０１のＲＯＭ２０４等の任意のメモリに予め記憶しておく。ＣＰＵ２０３はこのＯＳＤ表示情報を用いてステップＳ３０４の判断を実行する。
【００４４】
ステップＳ３０４において、ＯＳＤ画像の表示を行うコマンドであるとＣＰＵ２０３が判定した場合はステップＳ３０５に移行し、ＯＳＤ画像の表示を行うコマンドであるとＣＰＵ２０３が判定した場合はステップＳ３１０に移行する。
【００４５】
ステップＳ３０５では、ＣＰＵ２０３が現在の３Ｄテレビが２Ｄ表示モードであるのか、３Ｄ表示モードであるのかを確認する。表示モードの切替制御はＣＰＵ２０３が実行するものであるので、ＣＰＵ２０３は自身が管理する表示モードの情報を用いて判断することができる。
【００４６】
ステップＳ３０６において、現在の表示モードが３Ｄ表示モードであるとＣＰＵ２０３が判断した場合には、ステップＳ３０７へ移行する。現在の表示モードが３Ｄ表示モード以外、即ち、２Ｄ表示モードである場合には、ステップＳ３０９へ移行する。
【００４７】
ステップＳ３０６までの処理により、現在、ユーザは映像再生装置１０２が再生している３Ｄコンテンツを３Ｄ表示モードで視聴中であることと、映像再生装置１０２に対してＯＳＤ画像の表示を伴うコマンドを発行した状態であると判断できる。この状態において、ＯＳＤ画像の表示を行うと、背景技術で説明したのと同様の映像表示が行われることになり、当然ながら、同様の課題が発生してしまう。
【００４８】
そこで、次のステップＳ３０７では、ＯＳＤ画像が適切に表示できるように、ＣＰＵ２０３は自動的に表示モードを３Ｄ表示モードから２Ｄ表示モードへと切り替えるよう、映像処理部２０７に指示する。映像処理部２０７はＣＰＵ２０３からの指示に従い、３Ｄ用の映像処理を中止し、２Ｄ用の映像処理を映像再生装置１０２から送信された映像に施す。これにより、映像再生装置１０２が３Ｄコンテンツを出力している場合であっても、一時的に３Ｄ表示は２Ｄに変更されるが、ＯＳＤ画像は適切に表示することができる。
【００４９】
なお、ＣＰＵ２０３は、３Ｄ表示モードから２Ｄ表示モードに切り替えた理由がＯＳＤ画像の表示に基づくものであることをモード切替情報として記憶する。これは、後述する、２Ｄ表示モードから３Ｄ表示モードに戻る場合の処理に利用される情報である。
【００５０】
ステップＳ３０８では、表示モードを自動的に切り替えたことを通知するために、ＣＰＵ２０３は映像出力部２１０に対して指示を行う。映像出力部２１０は映像再生装置１０２から送信された映像にＯＳＤ画像の表示により、表示モードが自動的に切り替えられたことを示すメッセージを合成した映像を表示パネルに出力する。これにより、ユーザは、ＯＳＤ表示を伴う操作を実行したことで２Ｄ表示に切り替えられたことを認識し、テレビまたは映像再生装置のトラブル等ではないことを認識できる。
【００５１】
続いて、ステップＳ３０９では、ＣＰＵ２０３は受信した操作コマンドに応じた制御を実行する。この操作コマンドが映像再生装置１０２を制御するものである場合には、映像再生装置１０２に対してコマンドを発行する。例えば、映像再生装置１０２が記録しているコンテンツの一覧画面の表示を要求するコマンドである場合には、ＣＰＵ２０３は映像再生装置１０２に対してコンテンツの一覧画面の表示を要求するコマンドを発行する。
【００５２】
なお、映像再生装置１０２に送信するコマンドは、リモコン操作コマンドをＨＤＭＩ規格に準拠したコマンドフォーマット（本発明ではＨＤＭＩ−ＣＥＣで規定されるフォーマット）に変換されたものである。
【００５３】
映像再生装置１０２では、３Ｄテレビ１０１から受信したコマンドに対応して、コンテンツの一覧画面を表示するＯＳＤ画像を生成し、再生中の３Ｄコンテンツの映像に重畳し、３Ｄテレビ１０１に送信する。３Ｄテレビ１０１ではこのとき２Ｄ表示モードとなっているので、ＯＳＤ画像が３Ｄ映像処理されることで表示が不適切な状態に陥ることを回避できる。また、映像再生装置１０２は３Ｄや２Ｄといったコンテンツの種類を意識することなく、通常のＯＳＤ画像を生成することができるため、装置構成が簡略化できる。
【００５４】
続いて、上述した制御フローを実行後に、３Ｄ表示モードに復帰する場合の処理を説明する。つまり、この処理は映像再生装置１０２が３Ｄコンテンツを再生し、３Ｄテレビで３Ｄコンテンツを３Ｄ表示モードで表示していた状態から、ＯＳＤ画像の表示にあわせて２Ｄ表示モードに切り替えた後の状態に適用される。そして、ＯＳＤ画像が表示された状態で、ユーザから操作コマンドがリモコン１０３を介して入力されたことをトリガとして実行される。
【００５５】
まず、ステップＳ３０１からステップＳ３０４までは、上述したフローと同様の動作であるので説明を省略する。
【００５６】
ステップＳ３０４で、ＯＳＤ画像の表示を行わないコマンドであるとＣＰＵ２０３が判定した場合はステップＳ３１０に移行する。ステップＳ３１０では、ＣＰＵ２０３はコマンドが現在表示しているＯＳＤ画像の表示を取り止めるための終了コマンドであるかを判断する。この判断は管理しているＯＳＤ表示情報とＳ３０２で取得した操作コマンドとを用いて行われる。
【００５７】
終了コマンドのトリガとなる操作としては、例えばリモコン１０３上のキャンセルボタンの押下や、戻るボタンの押下等、現在の状態を解除するような操作が挙げられる。本実施例では、映像再生装置１０２に対して現在実行中のコマンドに対する終了処理を指定できる操作を取り扱うものとする。
【００５８】
ステップＳ３１０において、ＣＰＵ２０３が終了コマンドであると判断した場合は、ステップＳ３１１に移行する。終了コマンド以外であると判断した場合はステップＳ３０９に移行して、そのままコマンドを実行する。
【００５９】
ステップＳ３１１では、ステップＳ３０７においてＣＰＵ２０３がＲＯＭ２０４に記憶したモード切替情報を参照し、現在の表示モード（２Ｄ表示モード）がＯＳＤ画像の表示のために３Ｄ表示モードから切り替えられたものであるか否かを判断する。
【００６０】
ステップＳ３１１において、ＯＳＤ画像の表示のために３Ｄ表示モードから切り替えられたものであると判断された場合、ＣＰＵ２０３はステップＳ３１２に処理を進める。そうでない場合、例えば、２Ｄコンテンツを表示中にＯＳＤを表示した場合には、単にそのＯＳＤ画像の表示を終了するための終了コマンドであるので、ステップＳ３０９に移行してコマンドに対応する処理を実行する。
【００６１】
ステップＳ３１１で、ＯＳＤ画像の表示のために、２Ｄ表示モードに自動的に切り替える制御を実行したと判断された場合、ＣＰＵ２０３はデジタルインタフェース制御部２１１を介して、終了コマンドを映像再生装置１０２に送信する。終了コマンドを受信した映像再生装置１０２は表示中のＯＳＤ画像を非表示とするための制御を実行する。
【００６２】
ステップＳ３１３では、ＣＰＵ２０３は映像処理部２０７に指示し、映像再生装置１０２から受信している映像に対して３Ｄ映像処理を施す。つまり、２Ｄ表示モードから３Ｄ表示モードへ自動的に切り替える制御を実行する。さらにステップＳ３１４では、ステップＳ３０８と同様に、３Ｄ表示モードに切り替わった旨をユーザに通知するために、メッセージを表示パネルに出力する映像に合成して表示するようＣＰＵ２０３が制御を行う。このとき、表示されている映像は３Ｄ映像であるので、表示するメッセージは３Ｄ用の映像処理を施した後の映像に合成する必要がある。３Ｄ用の映像処理前に合成してしまうと、そのメッセージに対しても３Ｄ映像処理が施されてしまい、視認が困難になるためである。
【００６３】
図４は、上述したフローを実行した際に、表示パネル上に表示される映像の例を示す図である。図４（ａ）は映像再生装置１０２で再生された３Ｄコンテンツに対して、３Ｄ映像処理を施した３Ｄ映像を表示パネルにて表示した状態である。この状態において、ユーザの操作により、映像再生装置１０２のＯＳＤ画像の表示が要求されると、図４（ｂ）に示したような映像が表示パネルに表示される。３Ｄコンテンツに対する３Ｄ映像処理を中断し、ＯＳＤ画像が適切に表示されるように２Ｄ表示モードへ自動的に切り替えた状態である。そして、ＯＳＤ画像を非表示とするための操作がユーザによってなされると、ＯＳＤ画像を非表示とするためのコマンドを映像再生装置１０２に送信する。それにより、図４（ｂ）の状態で表示されていたＯＳＤ画像は非表示となる。また、２Ｄ表示モードから３Ｄ表示モードに切り替わるため、再び、表示パネルには３Ｄ映像が表示される。
【００６４】
このように、本実施例の３Ｄテレビ１０１は、ＯＳＤ画像の表示指示がユーザによってなされた場合に、ＯＳＤ画像が適切に表示されるように、自動的に３Ｄ表示モードと２Ｄ表示モードを切り替える制御を実行する。
【００６５】
これにより、３Ｄコンテンツを再生している映像再生装置１０２がＯＳＤ画像を重畳して表示する場合には、自動的に２Ｄ表示モードに切り替わることで、ＯＳＤ画像を適切に表示することが可能な３Ｄテレビ１０１を提供することができる。
【００６６】
また、ＯＳＤ画像の表示及び非表示に関するユーザの操作に従って、自動的に２Ｄ表示モードと３Ｄ表示モードが切り替わるため、ユーザが別途表示モードを手動で切り替える操作を必要とせず、操作性が向上する。
【実施例２】
【００６７】
続いて、本発明における第２の実施例について説明を行う。実施例１では、映像再生装置１０２がＯＳＤ画像を出力する場合に、３Ｄテレビ１０１は表示モードを３Ｄ表示モードから２Ｄ表示モードに切り替える制御を行った。一方、本実施例は、全てのＯＳＤ画像の表示で３Ｄ表示モードを２Ｄ表示モードに切り替えるのではなく、３Ｄ表示モードでの映像の表示中、ＯＳＤ画像の種別によって表示モードの切り替えを制御するものである。
【００６８】
以下、図を用いて本実施例の説明を行う。なお、上述した実施例１と同様のブロックやフローチャートのステップについての説明は省略する。
【００６９】
図５には、本実施例において利用するＯＳＤ表示情報の構成を示した。実施例１では、映像再生装置１０２が実行する操作に対応するＯＳＤ画像の表示の有無を管理したＯＳＤ表示情報を予め記憶していた。一方、本実施例では、コマンド毎、つまりＯＳＤ画像の種別毎に、表示モードを２Ｄ表示モードに切り替えるか、３Ｄ表示モードのままとするかを規定したＯＳＤ表示情報を用いる。
【００７０】
図５は、３Ｄテレビ１０１が映像再生装置１０２に送信する、ＯＳＤ画像の表示を行う制御コマンドの各々に対して、３Ｄ表示モードのままとするか、２Ｄ表示モードに切り替えるかを規定しているＯＳＤ表示情報である。
【００７１】
図５に示したＯＳＤ表示情報では、ＯＳＤ画像が画面（表示される映像）に占める領域（ＯＳＤ画像のサイズ）や表示位置、内容によって、２Ｄ表示モードへ切り替える制御コマンドを決定している。
【００７２】
例えば、ＥＰＧやＣｏｎｔｅｎｔｓＭｅｎｕ等を表示するための制御コマンドに対しては、そのコマンドに対応して映像再生装置１０２は画面全体にＯＳＤ画像を重畳すると共に文字情報の表示が中心であるので、３Ｄ表示モードから２Ｄ表示モードに切り替える。
【００７３】
一方、ＰａｕｓｅやＦｏｒｗａｒｄ、ＶｏｌｕｍｅＵｐ等、再生中の動作に関する制御コマンドについては、一般的にＯＳＤ画像が画面に占める領域は小さく、表示位置も画面端であることが多い。また、文字情報の表示も殆どなく、アイコンの表示が一般的である。このようなＯＳＤ画像を表示する場合でも自動的に３Ｄ表示から２Ｄ表示に変換してしまうと、ユーザの３Ｄ映像の視聴を妨害してしまう可能性が高い。そのため、このようなＯＳＤ画像を表示する場合には、２Ｄ表示モードに切り替えずに、そのまま３Ｄ映像の表示を継続したほうが良い。
【００７４】
２Ｄ表示モードへ切り替えるコマンドについては、予め有するコマンドと映像再生装置のＯＳＤ画像とから任意に決定すれば良い。また、ユーザによって任意に設定可能な構成としてもよい。
【００７５】
図６に本実施例に適用するフローチャートを示した。このフローチャートは、映像再生装置１０２が再生中の３Ｄコンテンツを３Ｄテレビ１０１で三次元映像処理を行って表示している状態において、３Ｄテレビ１０１によって実行される制御である。
【００７６】
ステップＳ６０１からＳ６０３は、実施例１のステップＳ３０１からＳ３０３と同様であるので説明を省略する。
【００７７】
ステップＳ６０４では、ＣＰＵ２０３が図５に示したＯＳＤ表示情報を参照する。続いて、ステップＳ６０５で、ＣＰＵ２０３は、ステップＳ６０３において映像再生装置１０２の制御が必要なコマンドが、ＯＳＤの表示を行い、かつ、２Ｄ表示モードへの切り替えが必要なコマンドであるかを判定する。この判定はステップＳ６０４で参照したＯＳＤ表示情報と、入力された操作コマンドに対応する制御コマンドとを比較することで実行できる。ステップＳ６０５において２Ｄ表示モードへの切り替えが必要なコマンドであると判定された場合、ステップＳ６０６に移行する。
【００７８】
ステップＳ６０６は実施例１のステップＳ３０５に対応するステップであるので説明を省略する。また、ステップＳ６０７からステップＳ６１５は、ステップＳ３０６からステップＳ３１４に対応するステップであるので説明を省略する。以上が、実施例２の動作フローである。
【００７９】
このように、本実施例の３Ｄテレビ１０１は、映像再生装置１０２を制御する制御コマンド毎に、２Ｄ表示モードに切り替えるか否かを予め規定したＯＳＤ表示情報を有しており、その情報に従って自身の表示モードを切り替えるか否かを判断する。
【００８０】
これにより、３Ｄコンテンツを再生している映像再生装置１０２がＯＳＤ画像を３Ｄコンテンツに重畳して表示する場合には、そのＯＳＤ画像の種別により２Ｄ表示モードへ切り替える。又は３Ｄ表示モードを維持する選択を行うことで、ＯＳＤ画像の適切な表示と３Ｄコンテンツの視聴の妨害を極力抑制することを両立した３Ｄテレビを提供できる。
【実施例３】
【００８１】
続いて、本発明における第３の実施例について説明を行う。実施例１及び実施例２は、映像再生装置１０２がＯＳＤ画像を出力する場合に、３Ｄテレビ１０１が表示モードを切り替える制御を実行するものであった。また、３Ｄコンテンツの表示中に、３Ｄテレビ１０１が映像再生装置１０２を制御する構成であった。一方、本実施例は、３Ｄテレビ１０１経由で映像再生装置１０２を制御するのではなく、ユーザが映像再生装置１０２に付属したリモコンなどを利用して、直接映像再生装置１０２を制御するケースを考慮するものである。つまり、本実施例は、映像再生装置１０２に対して３Ｄテレビ１０１を介することなくユーザが指示を入力することで、３Ｄコンテンツの再生中にＯＳＤ画像が表示や重畳されるケースに関するものである。
【００８２】
以下、図を用いて本実施例の説明を行う。なお、上述した実施例１及び２と同様のブロックやフローチャートのステップについての説明は省略する。
【００８３】
図７に本実施例に適用するフローチャートを示した。このフローチャートは、映像再生装置１０２が再生中の３Ｄコンテンツを３Ｄテレビ１０１で表示している状態において、３Ｄテレビ１０１によって実行される制御である。
【００８４】
まず、ステップＳ７０１では、３Ｄテレビ１０１のＣＰＵ２０３は、接続されている映像再生装置１０２のステータス情報を、デジタルインタフェース制御部２１１を介して定期的に取得している。このステータス情報は、映像再生装置１０２が取り得る種々の状態を示す情報である。従って、映像再生装置１０２において再生中の映像に対する制御の他、ＥＰＧの表示が実行されたことやメニュー画面が表示されたことなどもステータス情報としてＣＰＵ２０３は取得する。
【００８５】
ステータス情報を取得するために、３Ｄテレビ１０１は映像再生装置１０２に対して定期的にポーリングしている。ポーリングの周期に制約はないが、なるべく短い周期であることが望ましい。
【００８６】
続いてステップＳ７０２では、映像再生装置１０２が送信し、取得したステータス情報を解析し、現在映像再生装置１０２において、ＯＳＤ画像が表示されているか否かを判断する。この判断は、ＣＰＵ２０３がＯＳＤ表示情報を参照し、ステータス情報との比較を行うことで実行される。なお、本実施例におけるＯＳＤ表示情報には、映像再生装置１０２のステータス情報に関連付けてＯＳＤ画像の表示の有無に関する情報を予め管理されている。
【００８７】
ステップＳ７０２でＯＳＤ画像が表示されているとＣＰＵ２０３が判断すると、ステップＳ７０３において、現在の３Ｄテレビ１０１の表示モードが２Ｄ表示モードであるのか、３Ｄ表示モードであるのかを示す情報を取得し、ステップＳ７０４に移行する。
【００８８】
ステップＳ７０４において、ＣＰＵ２０３が３Ｄ表示モードであると判断した場合、ＣＰＵ２０３は映像処理部２０７に対して、２Ｄ表示モードに切り替えるよう指示を発行し、映像処理部２０７は３Ｄ用の映像処理から２Ｄ用の映像処理に映像処理を切り替える。
【００８９】
ステップＳ７０６は実施例１のステップＳ３０８に対応するステップであるので説明を省略する。また、ステップＳ７０７はステップＳ３１１、ステップＳ７０８からＳ７０９は、ステップＳ３１３からＳ３１４に対応するステップであるので説明を省略する。
【００９０】
なお、上述した制御フローは実施例１の構成において、映像再生装置１０２が直接操作されたケースを想定している。しかし、本実施例は実施例２の構成においても適用可能である。ステップＳ７０１で取得したステータス情報がＯＳＤ画像の表示を示すステータス情報であっても、その表示内容や占める領域の大きさによって２Ｄ表示の切り替えの要否を予め定めたＯＳＤ表示情報を参照することで、３Ｄ表示モードを維持することが可能である。
【００９１】
このように、本実施例の３Ｄテレビ１０１は、映像再生装置１０２が直接操作された場合でも、映像再生装置１０２のステータス情報を定期的に取得し、解析することでＯＳＤ画像の表示の有無を判断する。そして、ＯＳＤ画像が表示中の場合には、予め定めたＯＳＤ表示情報に従って、自動的に２Ｄ表示モードに切り替える制御を行う。
【００９２】
これにより、映像再生装置１０２が直接操作された場合でも、自動的に２Ｄ表示モードに切り替わることで、ＯＳＤ画像を適切に表示することが可能な３Ｄテレビ１０１を提供することができる。
【００９３】
なお、上述した実施例３では、３Ｄテレビ１０１が映像再生装置１０２に対して定期的にステータス情報を取得することで映像再生装置１０２のＯＳＤ表示状態を認識する構成とした。しかし、本実施例３では、３Ｄテレビ１０１が定期的にステータス情報を取得するのではなく、映像再生装置１０２自身がステータス状態を能動的に３Ｄテレビ１０１に送信する構成を採用することも可能である。映像再生装置１０２において、ＯＳＤ画像を表示することになった場合、ＯＳＤ画像を表示することを示すコマンドをステータス情報として３Ｄテレビ１０１に送信する。もちろん、ＯＳＤ画像の種別についても送信可能である。伝送手段がＨＤＭＩの場合には、ステータス情報をＣＥＣを利用して３Ｄテレビ１０１に送信するのが好適である。これにより、３Ｄテレビ１０１が定期的にポーリングしてステータス情報を取得するのと同じように、３Ｄテレビ１０１はＯＳＤ表示の有無を判断するための情報を取得することができる。
【００９４】
以上、本発明を実施した場合の例を３つ説明したが、本発明はサイドバイサイド方式の映像表示装置に限定されるものではない。入力された３Ｄ用映像を空間方向に変化させることで３Ｄ表示を行う三次元表示方式であれば如何なる方式であっても良い。空間方向に変化させるとは、３Ｄ用映像を構成する画像を分割したり、拡大したり、走査線の入れ替えを行ったりするような処理である。
【符号の説明】
【００９５】
１０１  ３Ｄテレビ
１０２  映像再生装置
２０３  ＣＰＵ
２０７  映像処理部
２１０  映像出力部
【図１】
2010268048.tif 000003
【図２】
2010268048.tif 000004
【図３】
2010268048.tif 000005
【図４】
2010268048.tif 000006
【図５】
2010268048.tif 000007
【図６】
2010268048.tif 000008
【図７】
2010268048.tif 000009
【図８】
2010268048.tif 000010